(57)【要約】【課題】電子機器の大型化を回避しつつ、蓋部材の開放を行える技術を提供する。【解決手段】本体２に着脱自在又は開閉自在に取り付けられる蓋部材３と、蓋部材３を前記本体２にロックするロック機構４と、押圧操作され、押圧力の大きさに応じて、当該電子機器１が実行し得る動作のうち何れかを割り当て可能な１又は複数の操作部５とを備えた。また、操作部５で前記動作の割り当てが可能な最大の押圧力（最大押圧力）Ｆ１以上の押圧力で操作部５が操作されると、ロック機構４のロック解除が行われるようにした。【選択図】図１
2012230831.tif 000002
【特許請求の範囲】
【請求項１】
本体に着脱自在又は開閉自在に取り付けられる蓋部材と、
前記蓋部材を前記本体にロックするロック機構と、
押圧操作され、押圧力の大きさに応じて、当該電子機器が実行し得る動作のうち何れかを割り当て可能な操作部とを備え、
前記操作部で前記動作の割り当てが可能な最大の押圧力を最大押圧力とするとき、前記最大押圧力より大きな押圧力で前記操作部が操作されると、前記ロック機構のロック解除が行われることを特徴とする電子機器。
【請求項２】
前記操作部は、複数備えられており、
前記ロック機構は前記操作部に対応してそれぞれ設けられており、
前記複数の操作部全てに対して、前記最大押圧力より大きな押圧力で押圧操作がなされたとき、前記蓋部材の全ての前記ロック機構のロック解除が行われることを特徴とする請求項１に記載の電子機器。
【請求項３】
前記複数の操作部のうち一部の操作部に対する押圧力が前記最大押圧力以上で、且つ、残余の操作部に対する押圧力が前記最大押圧力未満の場合、ロック解除に関する動作が行われることを特徴とする請求項２に記載の電子機器。
【請求項４】
前記複数の操作部全てに対し、予め定められた設定押圧力以上で、且つ、前記最大押圧力未満の押圧力で押圧操作がなされた場合、ロック解除に関する動作が行われることを特徴とする請求項２に記載の電子機器。
【請求項５】
電池が着脱可能な電池収納部を有し、
前記蓋部材は、前記電池収納部を開放及び閉塞するための部材であり、
前記複数の操作部のうち一部の操作部に対する押圧力が前記最大押圧力以上で、且つ、残余の操作部に対する押圧力が、前記最大押圧力より小さい予め定められた設定押圧力未満の場合、前記ロック解除に関する動作として、前記電池収納部に収納されている電池の現在の充電量に関する報知を行うことを特徴とする請求項３に記載の電子機器。
【請求項６】
電池が着脱可能な電池収納部を有し、
前記蓋部材は、前記電池収納部を開放及び閉塞するための部材であり、
前記複数の操作部のうち一部の操作部に対する押圧力が前記最大押圧力以上で、且つ、残余の操作部に対する押圧力が予め定められた設定押圧力以上前記最大押圧力未満の場合、前記ロック解除に関する動作として、前記蓋部材の取り外しを禁止する旨の報知を行うことを特徴とする請求項３に記載の電子機器。
【請求項７】
電池が着脱可能な電池収納部を有し、
前記蓋部材は、前記電池収納部を開放及び閉塞するための部材であり、
前記ロック解除に関する動作として、前記電池収納部からの前記電池の脱落注意の報知を行うことを特徴とする請求項４に記載の電子機器。
【請求項８】
前記操作部は、前記押圧力が前記最大押圧力より小さい予め定められた設定押圧力以上でオンとなるスイッチを有し、
前記操作部のスイッチがオンとなっている時間を検出する時間検出部と、
前記操作部についての前記時間検出部の検出時間が予め定められた時間を超えると、当該操作部が前記最大押圧力以上の押圧力で操作されたものと判断する判断部と
を備えることを特徴とする請求項１〜３の何れか一項に記載の電子機器。
【請求項９】
前記操作部は、前記押圧力が前記設定押圧力以上でオンとなるスイッチを有し、
前記操作部のスイッチがオンとなっている時間を検出する時間検出部と、
前記操作部についての前記時間検出部の検出時間が予め定められた時間を超えると、当該操作部が前記最大押圧力以上の押圧力で操作されたものと判断する判断部と
を備えることを特徴とする請求項４〜７の何れか一項に記載の電子機器。
【請求項１０】
電池が着脱可能な電池収納部を有し、
前記蓋部材は、前記電池収納部を開放及び閉塞するための部材であり、
記憶媒体へのデータの書込みを行っている途中で、前記複数の操作部全てに対し、前記最大押圧力以上の押圧力で押圧操作がなされたとき、前記記憶媒体へのデータの書込みを前記途中で終了することを特徴とする請求項１〜９の何れか一項に記載の電子機器。
【発明の詳細な説明】
【技術分野】
【０００１】
本発明は、操作部に対する操作によって所定の処理や動作を行う電子機器であって、例えば電池収納部などの凹部の内部を開放したり閉塞したりするための蓋部材（カバー）が本体に着脱自在又は開閉自在に取り付けられる電子機器に関する。
【背景技術】
【０００２】
下記特許文献１には、電池が着脱自在に収納可能な電池収納部を有する電子機器において、前記電池収納部を覆う電池蓋が不測に開放して電池が脱落するのを防止することを目的として、前記電池蓋を取り外す際に、所定の釦（操作釦）を押圧する操作と電池蓋をスライドさせる操作とをユーザに課し且つそれらの２つの操作を両手の指で行わせるようにした技術が開示されている。
【０００３】
具体的には、下記特許文献１の電子機器は、前記操作釦の押圧操作によって、該操作釦に一体的に設けられたロック爪と前記電池蓋との係合が解除され、そのロック爪による電池蓋のスライド規制が解除される。また、前記電子機器は、その状態から電池蓋をスライドさせる際に、本体側に設けられた突起と前記電池蓋に設けられた突片との係合（補助ロック）が解除され、これにより、電子機器の表面上に設けられた回転軸周りの電池蓋の回動が可能となり、電池蓋を回動させることで電池蓋を取り外すことが可能となるように構成されている。
【先行技術文献】
【特許文献】
【０００４】
【特許文献１】特開平１１−２３３０９０号公報（１９９９年０８月２７日公開）
【発明の概要】
【発明が解決しようとする課題】
【０００５】
しかしながら、前記特許文献１においては、電池蓋が不測に開放するのを防止するための部材（操作釦）を別途設けている。したがって、前記特許文献１の技術においては、その部材の分、電子機器の大型化を招来することとなったり、又は、更なる小型化が制限されることとなったりする。
【０００６】
特に、携帯電話や電子辞書などのポータブルな電子機器における近年の小型化は目覚しく、このような電子機器に前述のような操作釦を付加しようとすると、機器全体の大きさや形状に大きく影響を与え、商品の魅力を低下させる要因となり得る。
【０００７】
本発明は、前記事情に鑑みてなされたものであり、電子機器の大型化を回避しつつ、蓋部材の開放を行える技術を提供することを目的とする。
【課題を解決するための手段】
【０００８】
前記目的を達成するために、本発明に係る電子機器は、本体に着脱自在又は開閉自在に取り付けられる蓋部材と、前記蓋部材を前記本体にロックするロック機構と、押圧操作され、押圧力の大きさに応じて、当該電子機器が実行し得る動作のうち何れかを割り当て可能な操作部とを備え、前記操作部で前記動作の割り当てが可能な最大の押圧力を最大押圧力とするとき、前記最大押圧力より大きな押圧力で前記操作部が操作されると、前記ロック機構のロック解除が行われることを特徴とするものである。
【０００９】
この構成によれば、同じ操作部に、電子機器が実行し得る予め定められた動作の実行指示を入力する機能（以下、通常機能という）と、前記ロック機構のロック解除を行わせる機能（以下、ロック解除機能という）とを持たせたので、前記通常機能を持つ操作部と前記ロック解除機能をもつ操作部とを別個に設ける構成のように電子機器の大型化を招来することなく、前記ロック機構のロック解除を電子機器に行わせることができる。
【００１０】
また、前記電子機器は、前記操作部が複数備えられており、前記ロック機構が前記操作部に対応してそれぞれ設けられており、前記複数の操作部全てに対して、前記最大押圧力より大きな押圧力で押圧操作がなされたとき、前記蓋部材の全ての前記ロック機構のロック解除が行われる態様を採り得る。
【００１１】
この構成によれば、考えられうる前記複数の操作部に対する操作パターンの中で、前記複数の操作部全てに対し前記最大押圧力より大きな押圧力で押圧操作がなされる操作パターンを除く複数の操作パターンに対し、電子機器が実行し得る動作を複数割り当てることが可能となる。
【００１２】
また、前記電子機器は、前記複数の操作部のうち一部の操作部に対する押圧力が前記最大押圧力以上で、且つ、残余の操作部に対する押圧力が前記最大押圧力未満の場合、ロック解除に関する動作が行われる態様を採り得る。
【００１３】
前記複数の操作部のうち一部の操作部に対する押圧力が前記最大押圧力以上で、且つ、残余の操作部に対する押圧力が前記最大押圧力未満の場合、ユーザは蓋部材を取り外そうとしている若しくは開放しようとしている可能性は大きいが、単に、操作部に割り当てられた動作を電子機器に実行させようという操作である可能性もある。すなわち、前記最大押圧力未満の押圧力で押圧される前記残余の操作部については、偶然若しくは無意識的に手や指があたって押圧されているという状況であることも考えられる。
【００１４】
このような場合に、何の報知も無く蓋部材が本体から外れたり開放したりすると、ユーザにとって意に反した状況となる。
【００１５】
また、ユーザが意図的に蓋部材を取り外したり開放したりしようとしているとしても、ユーザの予想よりも早く蓋部材が外れた若しくは開放した場合、ユーザにとって意に反した状況となることも考えられる。
【００１６】
そこで、前記構成のように、前記複数の操作部のうち一部の操作部に対する押圧力が前記最大押圧力以上で、且つ、残余の操作部に対する押圧力が前記最大押圧力未満のとき、すなわち、残余の操作部に対応するロック機構もロック解除される前（全てのロック機構がロック解除される前）に、前記ロック解除に関する動作が行われるようにしている。これにより、全てのロック機構がロック解除される前、すなわち蓋部材が本体から外れたり開放したりする前に、ロック解除に関する動作を行うことができる。
【００１７】
前記ロック解除に関する動作として、例えば、前記ロック解除に伴って（蓋部材が本体から外れる又は開放することに伴って）発生し得る不都合や意に反する状況が発生し得ることをユーザに認識させる動作とすることが考えられる。これにより、前記ロック解除に伴って発生し得る不都合や意に反する状況が発生するのを未然に防止することが可能となる。
【００１８】
また、前記電子機器は、前記複数の操作部全てに対し、予め定められた設定押圧力以上で、且つ、前記最大押圧力未満の押圧力で押圧操作がなされた場合、ロック解除に関する動作が行われる態様を採り得る。
【００１９】
前記設定押圧力以上で、且つ、前記最大押圧力未満の押圧力で前記複数の操作部全てに対して押圧している場合、ユーザは蓋部材を取り外そうとしている若しくは開放しようとしている可能性は高いが、単に、操作部に割り当てられた動作を電子機器に実行させようという操作である可能性もある。すなわち、複数の操作部のうち一部の操作部については動作を電子機器に実行させるべく押圧され、残余の操作部については、偶然若しくは無意識的に手や指があたって押圧されているという状況であることも考えられる。
【００２０】
このような場合に、何の報知も無く蓋部材が本体から外れたり開放したりすると、ユーザにとって意に反した状況となり得る。
【００２１】
また、ユーザが意図的に蓋部材を取り外したり開放したりしようとしているとしても、ユーザの予想よりも早く蓋部材が外れた若しくは開放した場合、ユーザにとって意に反した状況となることも考えられる。
【００２２】
そこで、前記構成のように、前記複数の操作部全てに対し、予め定められた設定押圧力以上で、且つ、前記最大押圧力未満の押圧力で押圧操作がなされたとき、すなわち、前記複数の操作部全てに対する押圧力が全て前記最大押圧力より大きくなる前（全てのロック機構がロック解除される前）に、前記ロック解除に関する動作が行われるようにしている。これにより、全てのロック機構がロック解除される前、すなわち蓋部材が本体から外れたり開放したりする前に、ロック解除に関する動作を行うことができる。
【００２３】
前記ロック解除に関する動作として、前記ロック解除に伴って（蓋部材が本体から外れる又は開放することに伴って）発生し得る不都合や意に反する状況が発生し得ることをユーザに認識させる動作とすることが考えられる。これにより、前記ロック解除に伴って発生し得る不都合や意に反する状況が発生するのを未然に防止することが可能となる。
【００２４】
また、前記電子機器は、電池が着脱可能な電池収納部を有し、前記蓋部材は、前記電池収納部を開放及び閉塞するための部材であり、前記複数の操作部のうち一部の操作部に対する押圧力が前記最大押圧力以上で、且つ、残余の操作部に対する押圧力が、前記最大押圧力より小さい予め定められた設定押圧力未満の場合、前記ロック解除に関する動作として、前記電池収納部に収納されている電池の現在の充電量に関する報知を行う態様を採り得る。
【００２５】
前記複数の操作部のうち一部の操作部に対する押圧力が前記最大押圧力以上で、残余の操作部に対する押圧力が、前記最大押圧力より小さい予め定められた設定押圧力未満の場合、現時点における電池の充電量が十分であるにも拘らずユーザは前記充電量が少なくなっていると勘違いして蓋部材を取り外そうとしている場合が有り得ると考えられる。
【００２６】
ここで、前記構成においては、蓋部材を本体から取り外す若しくは開放すると、前記電池収納部から電池がユーザの意に反して脱落する可能性がある。
【００２７】
そこで、前記複数の操作部のうち一部の操作部に対する押圧力が前記最大押圧力以上で、且つ、残余の操作部に対する押圧力が前記設定押圧力未満の場合、前記電池収納部に収納されている電池の充電量に関する報知を行うようにすることで、蓋部材が取り外される前に、前記のようなユーザに電池の充電量を操作者に報知することができる。
【００２８】
これにより、電池の脱落を招く可能性のある蓋部材の取外しや開放が行われるのを未然に防止又は低減することが可能となる。
【００２９】
また、前記電子機器は、電池が着脱可能な電池収納部を有し、前記蓋部材は、前記電池収納部を開放及び閉塞するための部材であり、前記複数の操作部のうち一部の操作部に対する押圧力が前記最大押圧力以上で、且つ、残余の操作部に対する押圧力が予め定められた設定押圧力以上前記最大押圧力未満の場合、前記ロック解除に関する動作として、前記蓋部材の取り外しを禁止する旨の報知を行う態様を採り得る。
【００３０】
前記複数の操作部のうち一部の操作部に対する押圧力が前記最大押圧力以上で、且つ、残余の操作部に対する押圧力が前記設定押圧力以上前記最大押圧力未満の場合、蓋部材が取り外される直前の状態であると考えられる。蓋部材が取り外されると、前記電池収納部から意に反して電池が脱落する可能性がある。記憶媒体へのデータの書込みが行われている途中で、前記電池収納部から意に反して電池が脱落した場合、適切なデータの書込み処理の終了処理や中断処理が実施されないまま、データの書込み処理が中断されることになる。この場合、適切な記憶媒体に未だ書込みを行っていないデータが破壊される可能性がある。
【００３１】
そこで、前記蓋部材の取り外しを禁止する旨の報知を行うことで、電池の脱落を招く可能性のある蓋部材の取外しや開放が行われるのを未然に防止又は低減することが可能となる。
【００３２】
また、前記電子機器は、電池が着脱可能な電池収納部を有し、前記蓋部材は、前記電池収納部を開放及び閉塞するための部材であり、前記ロック解除に関する動作として、前記電池収納部からの前記電池の脱落注意の報知を行う態様を採り得る。
【００３３】
前記複数の操作部全てに対する押圧力が前記最大押圧力未満、且つ、前記設定押圧力以上の押圧力で全ての操作部を押圧している場合、ユーザは蓋部材を取り外そうとしている可能性が高いが、単に、操作部に割り当てられた動作を電子機器に実行させようという操作である可能性もある。すなわち、複数の操作部のうち一部の操作部については動作を電子機器に実行させるべく押圧され、残余の操作部については、偶然若しくは無意識的に手や指があたって押圧されているという状況であることも考えられる。
【００３４】
このような場合に、何の報知も無く蓋部材が本体から外れたり開放したりすると、この蓋部材の動きがユーザにとって意に反した状況となり得るばかりでなく、電池収納部の開放によって電池が電池収納部から脱落するという意に反した状況も生じうる。
【００３５】
また、ユーザが意図的に蓋部材を取り外したり開放したりしようとしているとしても、ユーザの予想よりも早く蓋部材が外れた若しくは開放した場合、この蓋部材の動きがユーザにとって意に反した状況となるだけでなく、電池収納部の開放によって電池が電池収納部から脱落するという意に反した状況も生じうる。
【００３６】
そこで、前記構成によれば、前記複数の操作部全てに対し、予め定められた設定押圧力以上で前記最大押圧力未満の押圧力で押圧操作がなされたときには、前記電池収納部からの前記電池の脱落注意を報知することで、前記複数の操作部に対する押圧力を現状からさらに大きくすると蓋部材が外れ電池が電池収納部から脱落する虞があるということをユーザに認識させることができる。
【００３７】
これにより、電池が電池収納部から脱落する状況が発生するのを未然に防止することが可能となる。
【００３８】
また、前記電子機器は、前記操作部は、前記押圧力が前記最大押圧力より小さい予め定められた設定押圧力又は前記設定押圧力以上でオンとなるスイッチを有し、前記操作部のスイッチがオンとなっている時間を検出する時間検出部と、前記操作部についての前記時間検出部の検出時間が予め定められた時間を超えると、当該操作部が前記最大押圧力以上の押圧力で操作されたものと判断する判断部とを備える態様を採り得る。
【００３９】
この発明によれば、最大押圧力以上の押圧操作がなされたことを機械的に検知するのではなく、前記最大押圧力より小さい予め定められた設定押圧力又は前記設定押圧力以上でオンとなる前記スイッチのオン時間を検出するようにしたので、前記最大押圧力以上の押圧力による押圧操作がなされたことを機械的に検知するための機械的構成を別途設ける必要が無く、その分、コストを抑制することができる。
【００４０】
また、前記電子機器は、電池が着脱可能な電池収納部を有し、前記蓋部材は、前記電池収納部を開放及び閉塞するための部材であり、記憶媒体へのデータの書込みを行っている途中で、前記複数の操作部全てに対し、前記最大押圧力以上の押圧力で押圧操作がなされたとき、前記記憶媒体へのデータの書込みを前記途中で終了する態様を採り得る。
【００４１】
記憶媒体へのデータの書込みが行われている途中で、前記電池収納部から意に反して電池が脱落した場合、適切なデータの書込み処理の終了処理や中断処理が実施されないまま、データの書込み処理が中断されることになる。この場合、適切な記憶媒体に未だ書込みを行っていないデータが破壊される可能性がある。
【００４２】
そこで、前記構成のように、記憶媒体へのデータの書込みを行っている途中で、前記複数の操作部全てに対し前記最大押圧力以上の押圧力で押圧操作がなされた場合には、前記記憶媒体へのデータの書込みを前記途中で終了するようにする（前記終了処理や中断処理を実施する）ことで、前記のようなデータの破壊を防止することができる。
【発明の効果】
【００４３】
本発明に係る電子機器は、本体に着脱自在又は開閉自在に取り付けられる蓋部材と、前記蓋部材を前記本体にロックするロック機構と、押圧操作され、押圧力の大きさに応じて、当該電子機器が実行し得る動作のうち何れかを割り当て可能な操作部とを備え、前記操作部で前記動作の割り当てが可能な最大の押圧力を最大押圧力とするとき、前記最大押圧力より大きな押圧力で前記操作部が操作されると、前記ロック機構のロック解除が行われるものである。
【００４４】
この構成によれば、通常機能を持つ操作部とロック解除機能をもつ操作部とを別個に設ける構成のように電子機器の大型化を招来することなく、前記ロック機構のロック解除を電子機器に行わせることができるという効果を奏する。
【図面の簡単な説明】
【００４５】
【図１】本発明の一実施形態に係る電子機器を説明するためのブロック図である。
【図２】前記電子機器の外観図（正面図、平面図、側面図）である。
【図３】前記電子機器のスライド部がスライド位置に位置する状態の一例を示す図である。
【図４】前記電子機器のベース部の説明図であり、（ａ）は、蓋部材を取り外した状態における本体の背面の外観図を示し、（ｂ）は、蓋部材の内面（本体側の面）の外観図を示す。
【図５】前記電子機器の操作部における図２のＡ−Ａ線矢視断面図である。
【図６】前記電子機器のロック機構における図２のＢ−Ｂ線矢視断面図である。
【図７】前記電子機器の操作部の動作を示す図である。
【図８】前記電子機器の操作部の動作を示す図である。
【図９】前記電子機器のロック機構の動作を示す図である。
【図１０】前記電子機器のテーブル記憶部に記憶されている動作テーブルの一例を示す図である。
【図１１】前記電子機器の電子機器における第１及び第２操作部の操作状況に応じた処理を示すフローチャートである。
【発明を実施するための形態】
【００４６】
（第１の実施形態）
以下、本発明に係る電子機器の一実施形態について説明する。図１は、本発明に係る電子機器を説明するためのブロック図である。
【００４７】
図１に示すように、本発明の一実施形態に係る電子機器１は、本体２に着脱自在又は開閉自在に取り付けられる蓋部材３と、蓋部材３を本体２にロックするロック機構４と、押圧操作され、押圧力の大きさに応じて、当該電子機器１が実行し得る動作のうち何れかを割り当て可能な１又は複数の操作部５とを備えている。
【００４８】
操作部５で前記動作の割り当てが可能な最大の押圧力を最大押圧力Ｆ１とする。また、操作部５から操作信号が出力されない状態から操作信号が出力される状態に切り替わるときの押圧力を設定押圧力Ｆ２とする。すなわち、設定押圧力Ｆ２は、前記動作の割り当てが可能な最小の押圧力に相当する。
【００４９】
この場合、電子機器１は、最大押圧力Ｆ１より大きな押圧力で全ての操作部５が操作されると、全てのロック機構４のロック解除が行われて、蓋部材３が取り外せる、若しくは開放するようになっている。
【００５０】
このように、本発明に係る電子機器１においては、同一の操作部５に、電子機器１が実行し得る動作のうち予め定められた動作の実行指示を入力するためのものとしての機能（以下、通常機能という）と、ロック機構４による蓋部材３のロック解除を行わせるためのものとしての機能（以下、ロック解除機能という）とを持たせている。
【００５１】
これにより、前記通常機能を持つ操作部と前記ロック解除機能をもつ操作部とを別個に設ける構成のように電子機器１の大型化を招来することなく、ロック機構４のロック解除を電子機器１に行わせることができる。
【００５２】
図２は、電子機器１の外観図（正面図、平面図、側面図）である。
【００５３】
図２に示すように、電子機器１は、携帯性を有する機器とされており、ベース部６とスライド部７とを有する。ベース部６及びスライド部７はいずれも平板体とされている。説明の都合上、スライド部７から説明を行う。
【００５４】
スライド部７は、ベース部６に沿った所定の平面（以下、スライド面という）上でスライド可能にベース部６に取り付けられており、図２に示すようにスライド部７全体がベース部６と対向する対向位置と、スライド部７の一部がベース部６からはみ出るスライド位置との間でスライドし得るようになっている。図３は、スライド部７がスライド位置に位置する状態の一例を示す図である。
【００５５】
スライド部７には、表示部１１が搭載されており、スライド部７の表面（ベース部６と対向する側と反対側の面）に、表示部１１の表示画面が設けられている。表示部１１としては、ＬＣＤ（Liquid Crystal Display）や有機材料の電界発光（Electroluminescence）を利用した有機ＥＬ表示装置などが採用可能である。
【００５６】
一方、ベース部６は、スライド部７と対向する面に、複数のボタンからなるボタン群１５を備えており、ユーザがスライド部７を前記スライド位置にスライドさせると、図３に示すように、ボタン群１５が露出する。このとき、ユーザは、ボタン群１５に対する操作が可能となる。なお、図３には、パーソナルコンピュータのキーボードを模した複数のボタンからなるボタン群１５を示しているが、これに限定されるものではない。
【００５７】
ベース部６の適所（図２では下側部）には、ＩＣカード（例えばＳＤカードなど）の外部記憶媒体（記憶媒体の一例）Ｍが挿し込み可能な媒体挿入口８が形成されている。媒体挿入口８の奥側には、図略の端子が設けられており、外部記憶媒体Ｍが媒体挿入口８に所定量挿し込まれると、該外部記憶媒体Ｍの端子と媒体挿入口８の奥側に形成された端子とが接触し、ベース部６に設置された後述する全体制御部１８（図１参照）と外部記憶媒体Ｍとの間で通信可能な状態となる。
【００５８】
ベース部６の上部（両肩部）には、複数（ここでは２つとする）の操作部５ａ，５ｂ（以下、第１操作部５ａ及び第２操作部５ｂという）が設けられている。なお、本実施形態においては、第１操作部５ａ及び第２操作部５ｂは、同様の構成を有している。第１及び第２操作部５ａ，５ｂは、それぞれボタン３０を有し、図２に示すように、ボタン３０が外部に露出している。本実施形態においては、ボタン３０は、電子機器１の上部から下部に向けて押し込まれる。
【００５９】
第１及び第２操作部５ａ，５ｂには、当該電子機器１が実行し得る動作や処理（以下、単に動作という）が割り当て可能となっており（対応付け可能となっており）、前記動作のうち予め定められた処理が割り当てられている（対応付けられている）。第１及び第２操作部５ａ，５ｂは、基本的には、その予め定められた動作の実行を指示するためのものとして機能する。
【００６０】
すなわち、第１操作部５ａは、第１操作部５ａのボタン３０に対して通常の押圧力（設定押圧力Ｆ２以上最大押圧力Ｆ１未満の押圧力）による比較的短時間（この時間については後述する）の押圧操作（以下、この操作を浅押しという）が単独で行われたときには、第１操作部５ａに予め割り当てられた動作の実行を指示するためのものとして機能する。第２操作部５ｂについても同様である。
【００６１】
ただし、本実施形態に係る電子機器１は、第１操作部５ａのボタン３０や第２操作部５ｂのボタン３０に対する押圧操作の押圧力が一定値（最大押圧力Ｆ１）以上の場合や、第１及び第２操作部５ａ，５ｂの両ボタン３０が同時に押圧された場合には、第１及び第２操作部５ａ，５ｂが単独で浅押しされた場合の動作と異なる予め定められた動作を行うように構成されている。
【００６２】
第１及び第２操作部５ａ，５ｂに対してどのような操作が行われたときにどのような処理を実行するかについては予め規定されており、本実施形態に係る電子機器１は、この規定内容を動作テーブル（図１０参照）として予め記憶している。なお、ここでは、電子機器１が前記動作テーブルを記憶しているが、外部記憶媒体Ｍに動作テーブルを格納して、この外部記憶媒体Ｍが電子機器１に装着されたときに、電子機器１が外部記憶媒体Ｍの動作テーブルを参照する形態も想定される。電子機器１は、前記動作テーブルにしたがって、第１及び第２操作部５ａ，５ｂに対する操作状況に応じた処理や動作を行う。この点については後述する。
【００６３】
図４は、ベース部６の説明図であり、（ａ）は、蓋部材３を取り外した状態における本体２の背面の外観図を示し、（ｂ）は、蓋部材３の内面（本体２側の面）の外観図を示している。
【００６４】
図４に示すように、ベース部６は、本体２と蓋部材３とを有する。
【００６５】
蓋部材３は、本体２の背面の略全体を覆う部材とされており、本体２に対して着脱可能に構成されている。なお、本実施形態では、蓋部材３として、本体２に着脱可能に構成された蓋部材が採用されているが、これに限られず、開閉可能に構成された蓋部材を採用してもよい。開閉可能に構成された蓋部材は、例えば、該蓋部材の一側部が本体２に回動自在に支持されており、本体２の背面を覆う閉塞位置と、本体２の背面が外部に露出する開放位置との間で蓋部材３が回動し得る構成が想定される。
【００６６】
本体２の背面には、図略の電池を収納するための電池収納部１４が形成されている。本実施形態においては、蓋部材３は、電池収納部１４を開放及び閉塞するためのバッテリーカバーとして機能する。電池収納部１４は、本体２に蓋部材３が装着されているときには該蓋部材３によって覆われて閉塞される。一方、本体２から蓋部材３が取り外されると、電池収納部１４が外部に露出して開放される。
【００６７】
この露出した電池収納部１４に電池が装着されることで、電子機器１は、該電池から電力が供給され、種々の処理や動作が実行可能となる。
【００６８】
本体２と蓋部材３との間には、蓋部材３を本体２にロックするためのロック機構４が設けられている。本実施形態においては、ロック機構４は、第１操作部５ａ及び第２操作部５ｂのそれぞれに対応して設けられているが、これに限定されるものではない。ロック機構４としては、具体的には例えば次のような構造が採用可能である。なお、第１操作部５ａに対応するロック機構４と、第２操作部５ｂに対応するロック機構４とは同様の構成を有するので、ここでは、第１操作部５ａに対応するロック機構４の構成について説明する。
【００６９】
図５は、ボタン３０の押圧方向（移動方向）に平行な面であって前記スライド面に直交する面を切断面として該切断面で第１操作部５ａを切断したときの第１操作部５ａの断面図であり、電子機器１の第１操作部５ａにおける図２のＡ−Ａ線矢視断面図である。
【００７０】
図５に示すように、第１操作部５ａは、ユーザにより押圧操作されるボタン３０の他、スイッチ３１を有する。スイッチ３１は、ボタン３０の可動領域における一端部に配置され、ボタン３０と接触し得るようになっている。
【００７１】
ボタン３０は、該ボタン３０の上方から下方に向けて押圧される部材であり、上下方向に移動し得るように構成されている。ボタン３０は、押圧操作によって本体２内部に入り込む。そして、ボタン３０の押圧力が予め定められた押圧力Ｆ２（以下、設定押圧力Ｆ２という）となると、ボタン３０はスイッチ３１と接触し該スイッチ３１を押圧する。これにより、スイッチ３１がオンとなる。スイッチ３１は、オンとなると、ボタン３０が操作されたことを示す信号（操作信号）が後述する全体制御部１８（図１参照）に出力される。
【００７２】
また、第１操作部５ａは、ボタン３０及びスイッチ３１の他、サポート板３２、ホルダー３３及びスプリング３４を有する。
【００７３】
サポート板３２は、２つの平板体が互いに端部同士で直交してなる断面Ｌ字形状の部材とされている。以下、サポート板３２のうち一方の平板体で構成される部位を第１平板部３２ａ、他方の平板体で構成される部位を第２平板部３２ｂという。
【００７４】
サポート板３２は、第１平板部３２ａがボタン３０の移動方向（押圧方向）に対して直交する平面に沿う姿勢で配設されている。第１平板部３２ａの上下両面のうち上面（ボタン３０側の面）にスイッチ３１が設置されている。
【００７５】
一方、本体２を構成する本体フレーム３５は、前記スライド面に平行な壁面を有する。第２平板部３２ｂは、常時、その壁面に接触している。これにより、サポート板３２は、本体フレーム３５（の壁面）にガイドされつつボタン３０の移動方向に移動し得る。
【００７６】
本体フレーム３５は、適所から蓋部材３側に突出して形成された支持プレート部３５ａを有する。
【００７７】
ホルダー３３は、例えば中空の箱型を成し、サポート板３２のうち第１平板部３２ａの直下に配設されている。ホルダー３３は、その上面部３３ａが、サポート板３２（第１平板部３２ａ）の第１平板部３２ａの上下両面のうち下面（ボタン３０と反対側の面）に接続されて、サポート板３２と一体的に連動する。
【００７８】
一方、ホルダー３３の内部を、本体フレーム３５の支持プレート部３５ａが貫通している。ホルダー３３の底面部３３ｂ（図５参照）は、前記貫通している支持プレート部３５ａと当接し得るようになっている。
【００７９】
支持プレート部３５ａとホルダー３３の上面部３３ａとの間には、スプリング３４が収縮状態で配設されている。電子機器１における支持プレート部３５ａの絶対位置は不変であるため、スプリング３４のうち、支持プレート部３５ａに支持されている側の端部が固定端となる一方、ホルダー３３の上面部３３ａに支持されている側の端部が自由端となる。
【００８０】
したがって、ホルダー３３の上面部３３はスプリング３４により弾性的にボタン３０側に付勢されており、ホルダー３３は、支持プレート部３５ａに対して相対移動可能となっている。
【００８１】
そして、ホルダー３３の底面部３３ａが支持プレート部３５ａと当接するとき、この当接によって、スプリング３４の付勢力に因るホルダー３３の上方への移動が規制される。これにより、サポート板３２及びスイッチ３１は、上方への移動が所定の位置で規制される。
【００８２】
なお、ホルダー３３は、本体フレーム３５に形成された図略のガイド部によりボタン３０の押圧方向における移動がガイドされているため、ボタン３０の移動方向においてのみ移動し得る。
【００８３】
図６は、前記切断面で第１操作部５ａに対応するロック機構４を切断したときの該ロック機構４の構成を示す断面図であり、電子機器１のロック機構４における図２のＢ−Ｂ線矢視断面図である。
【００８４】
ロック機構４は、蓋部材３とホルダー３３との間に構成されている。ロック機構４は、例えば係合構造を有するものとされる。具体的には、図６に示すように、蓋部材３には、本体２への装着状態において本体２側に突出する突出部３ｇを有する。突出部３ｇの先端には、下方（突出部３ｇの突出方向に対して直交し、ボタン３０と反対側に突出する方向）に突出する係合爪３ｒが形成されている。一方、ホルダー３３の適所には、下方に凹んだ係合凹部３３ｂが形成されている。
【００８５】
ホルダー３３が初期位置（ボタン３０が押圧されていないときのホルダー３３の位置）に位置するとき、蓋部材３における突出部３ｇの係合爪３ｒとホルダー３３の係合凹部３３ｂとが係合し得るようになっており、これらが係合することで、蓋部材３が本体２にロックされる。
【００８６】
このような構成を有する第１操作部５ａ及びロック機構４は、ボタン３０の押圧によって次のように動作する。図７，図８は、第１操作部５ａの動作の説明図、図９は、ロック機構４の動作の説明図である。
【００８７】
まず、ボタン３０が押圧される前の時点（図５に示す状態）で蓋部材３が本体２に装着されているものとすると、蓋部材３に形成された突出部３ｇの係合爪３ｒとホルダー３３の係合凹部３３ｂとが係合している。これにより、蓋部材３は本体２にロックされている。
【００８８】
そして、図７に示すように、ボタン３０が押圧され、その押圧力Ｆが、設定押圧力Ｆ２以上である場合、ボタン３０が下方（押圧方向）に移動し、ボタン３０の下端がスイッチ３１に当接する。このとき、スイッチ３１がオンされ、ボタン３０が操作されたことを示す信号（操作信号）が後述する全体制御部１８（図１参照）に出力される。一方、ロック機構４においては、この時点ではロックが解除されず、ロック状態が維持される。
【００８９】
この状態から、図８に示すように、ボタン３０の押圧力Ｆが更に強められると、スイッチ３１をオンしたまま、スイッチ３１，サポート板３２及びホルダー３３がスプリング３４の付勢力に抗してさらに下方に移動する。
【００９０】
ロック機構４においては、最大押圧力Ｆ１より大きくなると、ホルダー３３の下方への移動量が所定量に達し、図９に示すように、蓋部材３に形成された突出部３ｇの係合爪３ｒと、ホルダー３３の係合凹部３３ｂとの係合が解除される。すなわち、ロック機構４によるロックが解除される。
【００９１】
このような構成を有するロック機構４が第１操作部５ａだけでなく第２操作部５ｂにも対応して設けられている。
【００９２】
したがって、第１操作部５ａのボタン３０も第２操作部５ｂのボタン３０も、最大押圧力Ｆ１より大きな押圧力で押圧された場合に、第１操作部５ａに対応するロック機構４のロックも、第２操作部５ｂに対応するロック機構４のロックも解除され、蓋部材３が本体２から取り外し可能となる。
【００９３】
図４に示すように、ベース部６には、撮像部１６が搭載されている。撮像部１６は、撮影レンズ１６ａを有し、撮影レンズ１６ａは、光軸がベース部６の背面の法線方向と平行となるようにベース部６の背面側に設置されている。なお、蓋部材３のうち撮影レンズ１６ａに対応する位置には穴部３Ｈが形成されている。蓋部材３が本体２に装着される際には、撮影レンズ１６ａは穴部３Ｈを貫通する。
【００９４】
次に、本実施形態に係る電子機器１の電気的構成について説明する。本実施形態に係る電子機器１は、図１に示す電気的構成を有する。
【００９５】
図１に示すように、電子機器１は、表示部１１、撮像部１６、ユーザＩ／Ｆ部１７と、全体制御部１８とを備える。
【００９６】
ユーザＩ／Ｆ部１７は、前述したボタン群１５、第１操作部５ａ及び第２操作部５ｂを含むものである。
【００９７】
全体制御部１８は、各機能を実現する制御プログラムの命令を実行するＣＰＵ（Central Processing Unit）と、前記プログラムを格納したＲＯＭ（Read Only Memory）、前記プログラムを展開するＲＡＭ（Random Access Memory）、前記プログラムおよび各種データを格納するメモリ等の内部記憶部２２とを備えており、電子機器１を統括的に制御するものである。全体制御部１８は、例えばベース部６に搭載されている。
【００９８】
全体制御部１８は、内部記憶部２２又は外部記憶媒体Ｍに格納された所定のプログラムをＣＰＵが実行することにより、第１計測部１９と、第２計測部２０と、判断部２１と、第１ＡＰ（アプリケーション）実行部２３と、第２ＡＰ実行部２４と、データ書込部２５と、表示制御部２６として機能する。
【００９９】
第１計測部１９は、第１操作部５ａのスイッチ３１からの操作信号に基づき、第１操作部５ａのスイッチ３１がオンされた時間（以下、操作時間という）Ｔ１を計測するものである。第２計測部２０は、第２操作部５ｂのスイッチ３１からの操作信号に基づき、第２操作部５ｂのスイッチ３１がオンされた時間（操作時間）Ｔ２を計測するものである。第１計測部１９、第２計測部２０及びスイッチ３１は、時間検出部を構成する。
【０１００】
内部記憶部２２は、第１操作部５ａ及び第２操作部５ｂの操作パターンと当該電子機器１の動作との関係を示す動作テーブルを記憶するテーブル記憶部２２ａを有する。図１０は、テーブル記憶部２２ａに記憶されている前記動作テーブルの一例を示す図である。
【０１０１】
図１０に示す動作テーブルにおいては、第１操作部５ａ及び第２操作部５ｂの操作パターンとして以下の８つの操作パターン（１）〜（８）が想定されている。
【０１０２】
（１）第１操作部５ａが、設定押圧力Ｆ２以上最大押圧力Ｆ１未満の押圧力で押圧され、且つ、第２操作部５ｂが、操作されていないか設定押圧力Ｆ２未満の押圧力で押圧されている操作パターン（以下、操作パターン（１）という）。
【０１０３】
（２）第２操作部５ｂが、設定押圧力Ｆ２以上最大押圧力Ｆ１未満の押圧力で押圧され、且つ、第１操作部５ａが、操作されていないか設定押圧力Ｆ２未満の押圧力で押圧されている操作パターン（以下、操作パターン（２）という）。
【０１０４】
（３）第１操作部５ａも第２操作部５ｂも、設定押圧力Ｆ２以上最大押圧力Ｆ１未満の押圧力で同時並行的に押圧されている操作パターン（以下、操作パターン（３）という）。
【０１０５】
（４）第１操作部５ａが、最大押圧力Ｆ１以上の押圧力で押圧され、且つ、第２操作部５ｂが、操作されていないか設定押圧力Ｆ２未満の押圧力で押圧されている操作パターン（以下、操作パターン（４）という）。
【０１０６】
（５）第２操作部５ｂが、最大押圧力Ｆ１以上の押圧力で押圧され、且つ、第１操作部５ａが、操作されていないか設定押圧力Ｆ２未満の押圧力で押圧されている操作パターン（以下、操作パターン（５）という）。
【０１０７】
（６）第１操作部５ａが、最大押圧力Ｆ１以上の押圧力で押圧され、且つ、第２操作部５ｂが、設定押圧力Ｆ２以上で最大押圧力Ｆ１未満の押圧力で押圧されている操作パターン（以下、操作パターン（６）という）。
【０１０８】
（７）第２操作部５ｂが、最大押圧力Ｆ１以上の押圧力で押圧され、且つ、第１操作部５ａが、設定押圧力Ｆ２以上で最大押圧力Ｆ１未満の押圧力で押圧されている操作パターン（以下、操作パターン（７）という）。
【０１０９】
（８）第１操作部５ａも第２操作部５ｂも、最大押圧力Ｆ１以上の押圧力で同時並行的に押圧されている操作パターン（以下、操作パターン（８）という）。
【０１１０】
なお、図６においては、操作されていないか設定押圧力Ｆ２未満の押圧力で押圧されている操作を「×」で表している。設定押圧力Ｆ２以上最大押圧力Ｆ１未満の押圧力でボタン３０を押圧する操作を「△」で表している。この操作が前記浅押しである。また、最大押圧力Ｆ１以上の押圧力でボタン３０を押圧する操作を「○」で表している。以下、この操作を深押しという。
【０１１１】
そして、図１０に示す動作テーブルには、前記操作パターン（１）〜（８）につき、どのような処理を実行するかが規定されている。
【０１１２】
すなわち、図１０に示す動作テーブルにおいては、操作パターン（１）が発生した場合には、第１アプリケーション（以下、第１ＡＰという）を実行すべきである（以下、動作（Ａ）という）ことが規定され、操作パターン（２）の場合には、第２アプリケーション（以下、第２ＡＰという）を実行すべきである（以下、動作（Ｂ）という）ことが規定されている。
【０１１３】
なお、前記第１ＡＰとしては、例えば当該電子機器１で実行し得る動作の中から所望の動作をユーザに選択させ（メニュー選択させて）、その選択を受け付けるアプリケーションが想定される。前記第２ＡＰとしては、例えば当該電子機器１で撮像部１６を用いた撮影処理を行うためのアプリケーションが想定される。
【０１１４】
また、図１０に示す動作テーブルにおいては、操作パターン（３）が発生した場合は、ロック解除に関する動作を実行すべきである（以下、動作（Ｃ）という）ことが規定されている。操作パターン（３）で実行すべきとされる動作（Ｃ）の一例として、例えば電池脱落注意表示処理が想定される。電池脱落注意表示処理とは、第１及び第２操作部５ａ，５ｂを設定押圧力Ｆ２以上最大押圧力Ｆ１未満の押圧力で同時並行的に押圧した状態から、仮にその押圧力を増大させて、押圧力が最大押圧力Ｆ１より大きくなった場合に、蓋部材３が本体２から外れ、意に反して電池が電池収納部１４から脱落する可能性がある旨の注意を表示する処理である。
【０１１５】
また、図１０に示す動作テーブルにおいては、操作パターン（４）が発生した場合は、ロック解除に関する他の動作を実行すべきである（以下、動作（Ｄ）という）ことが規定されている。操作パターン（４）で実行する動作（Ｄ）の一例として、例えば電池収納部１４に収納されている電池の現在の充電量を報知する動作（以下、充電量報知動作という）が想定される。
【０１１６】
また、図１０に示す動作テーブルにおいては、操作パターン（５）が発生した場合は、ロック解除に関する別の動作を実行する（以下、動作（Ｅ）という）ことが規定されている。操作パターン（５）で実行する動作（Ｅ）の一例として、例えば現時点で電池の充電を行った場合に、満充電になるまでに要すると予測される時間（電池充電予測時間）を報知する動作（以下、充電予測時間報知動作という）が想定される。
【０１１７】
また、図１０に示す動作テーブルにおいては、操作パターン（６），（７）が発生した場合は、ロック解除に関する他の動作を実行することが規定されている。ここでは、操作パターン（６），（７）が発生した場合に実行すべきロック解除に関する他の動作は、操作パターン（６）が発生した場合も操作パターン（７）が発生した場合も同じ動作（Ｆ）とされている。動作（Ｆ）の一例として、「データ書込み中ですので、電池蓋（蓋部材３）を外さないでください」とのメッセージを出力して、蓋部材３の取り外しを禁止する旨を警告する動作（以下、アラート動作という）が想定される。
【０１１８】
また、図１０に示す動作テーブルにおいては、操作パターン（８）が発生した場合は、外部記憶媒体Ｍへの書込みを終了（中止）する動作を実行すべきである（以下、動作（Ｇ）という）ことが規定されている。
【０１１９】
ここで、本実施形態では、ボタン３０の押圧力が実際に最大押圧力Ｆ１以上であることを検出するのではなく、すなわち、最大押圧力Ｆ１以上であることを検知するためのセンサやスイッチを設けず、設定押圧力Ｆ２を検出するためのスイッチ３１が押下されている時間が基準値より長いことをもってボタン３０の押圧力が最大押圧力Ｆ１以上であるとみなしている。
【０１２０】
ボタン３０の押圧力が最大押圧力Ｆ１以上になっていることを、センサやスイッチを用いて検出する形態が基本形態であるが、本実施形態では、センサやスイッチを省略することによるコスト削減を図るために、スイッチ３１の押下時間が基準値より長いことをもってボタン３０の押圧力が最大押圧力Ｆ１以上であるとみなすようにしている。
【０１２１】
データ書込部２５は、媒体挿入口８に挿し込まれている外部記憶媒体Ｍに各種のデータの書込みを行うものである。データ書込部２５は、判断部２１により動作（８）（外部記憶媒体Ｍへのデータの書込み終了（中止）の実行）を行うべきであると判断されると、動作（８）を実行する。外部記憶媒体Ｍに書き込まれるデータとしては、例えば撮像部１６により撮影された画像データが想定される。
【０１２２】
表示制御部２６は、表示部１１の表示動作を制御するものである。表示制御部２６は、判断部２１により動作（３）〜（７）を行うべきであると判断されると、動作（３）〜（７）（ロック解除に関する表示動作）を行うものである。
【０１２３】
例えば、表示制御部２６は、判断部２１により電池脱落注意表示動作を行うべきであると判断される（操作パターン（３）の場合）と、電池脱落注意表示動作を表示部１１に行わせる。
【０１２４】
また、表示制御部２６は、判断部２１により電池充電量表示動作を行うべきであると判断される（操作パターン（４）の場合）と、前記電池充電量表示動作を表示部１１に行わせる。
【０１２５】
また、表示制御部２６は、判断部２１により電池充電予測時間表示動作を行うべきであると判断される（操作パターン（５））と、電池充電予測時間表示動作を表示部１１に行わせる。
【０１２６】
また、表示制御部２６は、判断部２１によりアラート動作を行うべきであると判断される（操作パターン（６），（７））と、アラート動作を表示部１１に行わせる。
【０１２７】
図１１は、電子機器１における第１及び第２操作部５ａ，５ｂの操作パターンに応じた動作を示すフローチャートである。
【０１２８】
図１１に示すように、第１及び第２操作部５ａ，５ｂの各ボタン３０のうち少なくとも何れか一方に対して押圧操作が行われると（ステップＳ１でＹＥＳ）、判断部２１は、両方のボタン３０に対して押圧操作が行われたか否かを判断する（ステップＳ２）。
【０１２９】
判断部２１は、一方のボタン３０のみに対して押圧操作が行われたと判断した場合には（ステップＳ２でＮＯ）、押圧操作されたボタン３０は、第２操作部５ｂに対応するボタン３０であるか否かを判断する（ステップＳ３）。
【０１３０】
判断部２１は、ステップＳ３において、押圧操作対象が第２操作部５ｂに対応するボタン３０ではない（第１操作部５ａに対応するボタン３０である）と判断すると（ステップＳ３でＮＯ）、その押圧操作が浅押しであるか深押しであるかを判断する（ステップＳ４）。
【０１３１】
判断部２１は、ステップＳ４において前記押圧操作が浅押しであると判断すると、第１ＡＰ実行部２３は、第１ＡＰを実行する（動作（Ａ）；ステップＳ６）。一方、判断部２１は、ステップＳ４において前記押圧操作が深押しであると判断すると、表示制御部２６は、例えば電池脱落注意表示動作（動作（Ｄ））を表示部１１に行わせる（ステップＳ５）。
【０１３２】
一方、判断部２１は、ステップＳ３において第２操作部５ｂに対応するボタン３０のみが押圧されたと判断すると（ステップＳ３でＹＥＳ）、その押圧操作が浅押しであるか深押しであるかを判断する（ステップＳ７）。
【０１３３】
判断部２１は、ステップＳ７において前記押圧操作が浅押しであると判断すると、第１ＡＰ実行部２３は、第２ＡＰを実行する（動作（Ｂ）；ステップＳ９）。一方、判断部２１は、ステップＳ７において前記押圧操作が深押しであると判断すると、表示制御部２６は、例えば電池充電予測時間表示動作を表示部１１に行わせる（動作（Ｅ）；ステップＳ８）。
【０１３４】
判断部２１は、ステップＳ２において、両方のボタン３０に対して押圧操作が行われたと判断した場合には（ステップＳ２でＹＥＳ）、それらの押圧操作が両方とも浅押しであるか否かを判断する（ステップＳ１０）。
【０１３５】
判断部２１は、ステップＳ１０において、前記押圧操作が両方とも浅押しであると判断すると（ステップＳ１０でＹＥＳ）、表示制御部２６は、例えば電池充電量表示動作（動作（Ｃ））を表示部１１に行わせる（ステップＳ１１）。一方、判断部２１は、ステップＳ１０において前記押圧操作が両方浅押しされている操作ではないと判断すると（ステップＳ１０でＮＯ）、前記押圧操作が両方とも深押しされている操作であるか否かを判断する（ステップＳ１２）。
【０１３６】
判断部２１は、ステップＳ１２において、前記押圧操作が両方とも深押しされている操作であると判断すると（ステップＳ１２でＹＥＳ）、データ書込部２５は、現在外部記憶媒体Ｍへのデータの書込みを実行中である場合、そのデータの書込みを終了（中止）する（動作（Ｇ）；ステップＳ１３）。
【０１３７】
一方、判断部２１は、ステップＳ１２において前記押圧操作が両方深押しされている操作でもない、すなわち、前記押圧操作が一方が深押しで他方が浅押しされている操作であると判断すると（ステップＳ１２でＮＯ）、蓋部材３の取り外しを禁止する旨を警告するアラート動作を行う（動作（Ｆ）；ステップＳ１４）。
【０１３８】
図１に戻り、判断部２１は、第１及び第２計測部１９，２０による計測結果に基づく第１及び第２操作部５ａ，５ｂの操作パターンと、内部記憶部２２に格納されている動作テーブルとに基づいて、当該電子機器１において実行すべき動作（処理）を判断するものである。
【０１３９】
判断部２１は、第１計測部１９の計測時間Ｔ１に基づいて、第１操作部５ａのボタン３０に対する操作状況を認識する。
【０１４０】
すなわち、判断部２１は、第１計測部１９の計測時間Ｔ１が予め定められた閾値（Ｔｔｈ）を超えたか否かを判断する。判断部２１は、第１計測部１９による計測時間Ｔ１が前記閾値Ｔｔｈを超えた場合には、第１操作部５ａのボタン３０が深押し（最大押圧力Ｆ１以上の押圧力で押圧）されたものと判断する。
【０１４１】
一方、第１計測部１９による計測時間Ｔ１が前記閾値Ｔｔｈを超えていないが、第１計測部１９のスイッチ３１からオン信号を受信した場合（浅押しの場合）には、判断部２１は、第１操作部５ａのボタン３０が設定押圧力Ｆ２（＜最大押圧力Ｆ１）で押圧されたものと判断する。なお、第１操作部５ａのスイッチ３１からオン信号を受信していない場合には、判断部２１は、第１操作部５ａのボタン３０が押圧されていないものと判断する。
【０１４２】
同様に、判断部２１は、第２計測部２０の計測時間Ｔ２に基づいて、第２操作部５ｂのボタン３０に対する操作状況を認識する。
【０１４３】
すなわち、判断部２１は、第２計測部２０の計測時間Ｔ２が前記閾値Ｔｔｈを超えたか否かを判断する。判断部２１は、第２計測部２０による計測時間Ｔ２が前記閾値Ｔｔｈを超えた場合には、第２操作部５ｂのボタン３０が深押し（最大押圧力Ｆ１以上の押圧力で押圧）されたものと判断する。
【０１４４】
一方、第２計測部２０による計測時間Ｔ２が前記閾値Ｔｔｈを超えていないが、第２計測部２０のスイッチ３１からオン信号を受信した場合（浅押しの場合）には、判断部２１は、第２操作部５ｂのボタン３０が設定押圧力Ｆ２（＜最大押圧力Ｆ１）で押圧されたものと判断する。なお、第２操作部５ｂのスイッチ３１からオン信号を受信していない場合には、判断部２１は、第２操作部５ｂのボタン３０が押圧されていないものと判断する。
【０１４５】
判断部２１は、このように認識した第１操作部５ａ及び第２操作部５ｂの操作状況から、現状の第１操作部５ａ及び第２操作部５ｂに対する操作状況の組合せ（操作パターン）が前記操作パターン（１）〜（８）のうちどれに該当するかを導き出す。
【０１４６】
そして、判断部２１は、導き出した操作パターンと、内部記憶部２２に格納されている動作テーブルとに基づき、当該電子機器１において実行すべき動作を判断する。
【０１４７】
すなわち、判断部２１は、操作パターン（１）が発生していると判断した場合には、動作（Ａ）（第１ＡＰの実行）を行うべきであると判断し、操作パターン（２）が発生していると判断した場合には、動作（Ｂ）（第２ＡＰの実行）を行うべきであると判断し、操作パターン（３）が発生していると判断した場合には、動作（Ｃ）（ロック解除に関する動作（例えば前述した電池脱落注意報知動作）の実行）を行うべきであると判断する。
【０１４８】
また、判断部２１は、操作パターン（４）が発生していると判断した場合には、動作（Ｄ）（ロック解除に関する他の動作（例えば前述した充電量報知動作）の実行）を行うべきであると判断し、操作パターン（５）が発生している場合には、動作（Ｅ）（ロック解除に関する別の動作（例えば前述した充電予測時間報知動作）の実行）を行うべきであると判断し、操作パターン（６），（７）が発生している場合には、動作（Ｆ）（アラート動作の実行）を行うべきであると判断し、操作パターン（８）が発生していると判断した場合には、動作（Ｇ）（外部記憶媒体Ｍへの書込みを終了（中止）する動作の実行）を行うべきであると判断する。
【０１４９】
第１ＡＰ実行部２３は、判断部２１により動作（１）（第１ＡＰの実行）を行うべきであると判断されると、動作（１）（第１ＡＰの実行）を行うものである。第２ＡＰ実行部２４は、判断部２１により動作（２）（第２ＡＰの実行）を行うべきであると判断されると、動作（２）（第２ＡＰの実行）を行うものである。
【０１５０】
以上のように、本実施形態においては、通常の操作時（浅押し）にそれぞれ所定の機能の実行指示を入力するためのものとして機能する第１及び第２操作部５ａ，５ｂのボタン３０がそれぞれ第１押圧力Ｆ１より大きな押圧力で押圧されたときに、ロック機構４のロックが解除され、蓋部材３が本体２から取り外し可能となるように構成した。
【０１５１】
これにより、本実施形態では、ロック機構４のロックを解除するための操作ボタン等を第１及び第２操作部５ａ，５ｂとは別に設ける場合に比して電子機器１の大型化を回避することができる。
【０１５２】
また、第１及び第２操作部５ａ，５ｂのボタン３０が最大押圧力Ｆ１以上の押圧力で単独操作された場合、及び、それらのボタン３０に対し設定押圧力Ｆ２以上最大押圧力Ｆ１未満の押圧力で同時並行的に操作された場合は、電池脱落注意表示、電池充電予測時間表示及び電池充電量表示などのロック解除に関する動作を行うようにした。
【０１５３】
これにより、蓋部材３の取り外しに起因して意に反して電池が脱落するという状況が発生するのを未然に防止又は低減することができる。
【０１５４】
さらに、第１及び第２操作部５ａ，５ｂのボタン３０のうち一方が最大押圧力Ｆ１以上の押圧力で操作され、他方が設定押圧力Ｆ２以上最大押圧力Ｆ１未満の押圧力で同時並行的に操作された場合は、前記アラート動作を行い、また、第１及び第２操作部５ａ，５ｂの両方のボタン３０が同時並行的に最大押圧力Ｆ１以上の押圧力で操作された場合は、現在外部記憶媒体Ｍへのデータの書込みを実行中であるとき、そのデータの書込みを終了（中止）するようにしたので、データの破壊を防止することができる。
【０１５５】
（第２の実施形態）
前記第１の実施形態においては、第１及び第２操作部５ａ，５ｂが最大押圧力Ｆ１以上の押圧力で操作される操作状況を検出する方法として、第１及び第２操作部５ａ，５ｂの押圧時間に基づいて前記操作状況を検出する方法、すなわち、第１及び第２操作部５ａ，５ｂのボタン３０が押圧されている時間を検出し、この検出時間が予め定められた時間を超えたときに、前記操作状況が発生したものと判断するようにしたが、例えば次のように構成してもよい。
【０１５６】
本実施形態に係る電子機器においても、前記第１の実施形態と同様、ボタン３０が深押し（最大押圧力Ｆ１以上の押圧力で押圧）されたとき、該ボタン３０と連動してサポート板３２やホルダー３３が移動する。
【０１５７】
ここで、本実施形態では、そのホルダー３３の可動領域の、最大押圧力Ｆ１で押圧された時にホルダー３３と接触し得る位置に図略のタッチセンサを設置し、このタッチセンサから、ホルダー３３と接触した旨の信号を検出信号として全体制御部１８が受信すると、ボタン３０が深押しされたものと全体制御部１８（判断部２１）が判断する。
【０１５８】
これによっても、操作部９が深押しされた操作状況を検出することができる。
【０１５９】
（第３の実施形態）
前記第１の実施形態に係る電子機器１においては、蓋部材３の取り外しに関わる操作部として、２つの操作部（第１操作部５ａ及び第２操作部５ｂ）を備えたが、本発明において、操作部は１つとしてもよい。また、操作部が１つであることに対応して、ロック機構も１つだけ設けるようにしてもよい。ここでは、第３の実施形態として、前記第１の実施形態における第１及び第２操作部５ａ，５ｂのうち第１操作部５ａと、第１操作部５ａに対応するロック機構４とが設けられている電子機器１を想定する。
【０１６０】
本実施形態に係る電子機器１は、第１操作部５ａのボタン３０が浅押し（前記設定押圧力Ｆ２以上で前記最大押圧力Ｆ１未満の押圧力で押圧されたときに、電子機器１が実行し得る動作のうち第１操作部５ａに予め割り当てられた動作（処理）を実行する。
【０１６１】
一方、前記第１操作部５ａが深押し（最大押圧力Ｆ１以上の押圧力で押圧）されたときに、ロック機構４のロックが解除されるとともに、外部記憶媒体Ｍへのデータの書込み終了（中止）の実行）を行っている場合には、現在行っている外部記憶媒体Ｍへのデータの書込みを終了（中止）する。
【０１６２】
本実施形態に係る電子機器１においても、第１操作部５ａに通常機能とロック解除機能とを持たせたので、ロック機構４のロックを解除するためのボタン等を、第１操作部５ａとは別に設ける場合に比して電子機器１の大型化を回避することができる。
【０１６３】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１６４】
例えば、前記第１〜第３の実施形態においては、蓋部材３として、電池収納部１４を覆うためのバッテリーカバーを想定したが、本発明に係る電子機器において想定する蓋部材は、何らかの部材等を覆うものであれば、特段、バッテリーカバーに限定されるものではない。
【０１６５】
また、前記各実施形態においては、電池充電量、電池充電予測時間及び電池脱落注意を、表示部１１及び表示制御部２６を用いて視覚的に（表示で）報知するようにしたが、聴覚的に（音声で）報知するようにしてもよい。この場合、音声を出力する音声出力部と、音声出力部の制御を行う音声制御部とが設けられる。また、前記電池充電量を視覚的に行うとともに聴覚的に行うようにしてもよい。
【０１６６】
また、前記各実施形態においては、一つの操作部５につき、設定押圧力Ｆ２を一つ設定した場合について説明したが、設定押圧力を複数段階で検出できるようにセンサ等を設けることにより、一つの操作部５に複数の通常機能を割り当てることができることは言うまでも無い。
【０１６７】
また、前記各実施形態においては、第１及び第２操作部５ａ，５ｂの最大押圧力Ｆ１及び設定押圧力Ｆ２について、第１及び第２操作部５ａ，５ｂの間で大小関係を特定しなかったが、最大押圧力Ｆ１及び設定押圧力Ｆ２は、第１及び第２操作部５ａ，５ｂの間で同じであってもよいし、異なるようにそれぞれ設定されていてもよい。
【０１６８】
なお、本発明は、以下のようにも表現できる。
【０１６９】
すなわち、本発明は、表示部とバッテリーカバーとバッテリーカバーをロック可能な操作部とを備えた電子機器であって、
前記操作部は、ロック解除方向に所定以上の押圧力を受けた場合、前記操作部が筺体内部に移動し、前記所定以上の押圧力より小さい押圧力を受けた場合、入力キーとして機能する電子機器。
【産業上の利用可能性】
【０１７０】
本発明は、操作部に対する操作によって所定の処理や動作を行う電子機器であって、例えば電池収納部などの凹部の内部を開放したり閉塞したりするための蓋部材（カバー）が本体に着脱自在に取り付けられる電子機器に広く利用することができ、特に、携帯電話やＰＤＡなど携帯性を有する電子機器に好適である。
【符号の説明】
【０１７１】
１    電子機器
２    本体
３    蓋部材
４    ロック機構
５ａ    第１操作部（操作部）
５ｂ    第２操作部（操作部）
１４    電池収納部
１９    第１計測部（時間検出部）
２０    第２計測部（時間検出部）
２１    判断部
２６    表示制御部（報知部）
３０    ボタン
３１    スイッチ（時間検出部）
Ｆ１    最大押圧力
Ｆ２    設定押圧力
Ｍ      外部記憶媒体
【図１】
2012230831.tif 000003
【図２】
2012230831.tif 000004
【図３】
2012230831.tif 000005
【図４】
2012230831.tif 000006
【図５】
2012230831.tif 000007
【図６】
2012230831.tif 000008
【図７】
2012230831.tif 000009
【図８】
2012230831.tif 000010
【図９】
2012230831.tif 000011
【図１０】
2012230831.tif 000012
【図１１】
2012230831.tif 000013